【事件の表示】
　平成１０年特許願第２２７９２５号「ゴルフクラブ」拒絶査定不服審判事件〔平成１２年　２月２２日出願公開、特開２０００−　５１４０６〕について、次のとおり審決する。
【結　論】
　本件審判の請求は、成り立たない。
【理　由】
第１　手続の経緯
　本願は、平成１０年８月１２日に出願された特願平１０−２２７９２５号であって、平成１９年５月７日付けで拒絶理由が通知され、同年６月１５日付けで手続補正がなされたところ、同年７月１０日付けで拒絶査定がなされ、これに対し、同年８月１６日に拒絶査定不服の審判が請求され、同年９月１１日付けで手続補正がなされた。
　その後、平成２１年１０月９日付けで当審において拒絶理由（以下、「当審拒絶理由」という。）の通知がなされ、同年１２月１４日付けで意見書の提出及び手続補正がなされたものである。
　
　
第２　本願発明
　本願の請求項１に係る発明は、平成２１年１２月１４日付け手続補正により補正された明細書の請求項１に記載された事項により特定されるとおりのものである。
　なお、当該平成２１年１２月１４日付け手続補正による補正は、明細書の請求項１、段落【０００５】及び【０００９】についてするものであり、その補正内容は、本願の願書に最初に添付された図面に記載した事項の範囲内のものであるから、適法な補正である。
　
　そして、本願の請求項１に係る発明（以下、「本願発明」という。）は、以下のとおりのものである。
「クラブシャフトのチップ側にホーゼル部を介してクラブヘッドを嵌合固定すると共に、バット側にグリップを嵌合固定して成るゴルフクラブにおいて、前記クラブシャフトのチップ側及びバット側の端末部にのみ、それぞれクラブシャフトの周方向に互いに一定の一か所の位置にだけ係合手段を設定すると共に、前記クラブヘッドのホーゼル内底部及びグリップの内側エンド部にのみそれぞれ前記係合手段に対してクラブシャフトの周方向の一定位置関係で係合する係合部を形成し、前記クラブシャフトの係合手段がチップ側及びバット側の端末部にのみそれぞれ１つだけ形成したスリットであり、前記ホーゼル部及びグリップの係合部がそれぞれ前記スリットに係合する１つだけの突起であり、前記スリットはチップ側及びバット側の端末部の端末からクラブシャフトの軸方向に延長するように形成されるゴルフクラブ。」
　
　
第３　当審の判断
１　刊行物
（１）刊行物一覧
　・実願昭６１−８３７７９号（実開昭６２−１９４３７８号）のマイクロフィルム
　・特開平９−８４９０３号公報
　・実願昭６２−１３５０５８号（実開昭６４−３９７６６号）のマイクロフィルム
　
（２）刊行物１
 　当審拒絶理由で引用され、本願の出願前に頒布された刊行物である実願昭６１−８３７７９号（実開昭６２−１９４３７８号）のマイクロフィルム（以下、「引用例１」という。）には、以下の事項が記載されている。
（ａ）実用新案登録請求の範囲；
「(1)  一端側にクラブヘッド、他端側にグリップを装着するゴルフクラブシャフトにおいて、該シャフトのヘッド装着部とグリップ装着部の双方の各シャフト表面に、凹状又は凸状等の目印線を、シャフトの軸線と平行な単一仮想線上にそれぞれ位置するように付設してなることを特徴とするゴルフクラブシャフト。
(2)  上記目印線を、シャフトに装着されるヘッド挿入部およびグリップ挿入部の各挿入長さよりも短目に形成して、シャフトにクラブヘッドおよびグリップを装着した状態では目印線がシャフト表面から露出しないように形成してあることを特徴とする実用新案登録請求の範囲第１項記載のゴルフクラブシャフト。
(3)  上記目印線を基準として、これに合せてシャフトの一端側にクラブヘッドを、他端側にグリップを装着してゴルフクラブを組立て得るように構成してなることを特徴とする実用新案登録請求の範囲第１項記載のゴルフクラブシャフト。」
　
（ｂ）明細書第３ページ第１１行〜第４ページ第６行；
「　ところで、従来、ゴルフシャフトに、クラブヘッドおよびグリップを装着してゴルフクラブセットを組立てる際、ヘッド部自体の装着には特別の問題はないとしても、ヘッド装着後、シャフトの他端側にグリップを装着する際に、そのグリップの前記図柄やバックラインがヘッドの向き（フェース面の向き）に対してずれて装着され、グリップが正しく正確に装着し難い問題点があった。
　すなわち従来のゴルフクラブに用いられるシャフトには、シャフトの一端に装着されるヘッド部とシャフトの他端に装着されるグリップ部との取付け位置を対照させるような基準線となる目印がなく、グリップの装着は、もっぱら製造者の経験とカンに頼って、挿入したグリップがフェース面と一直線になっているかどうかを確認しつつ装着していた。」
　
（ｃ）明細書第５ページ第９行〜第１８行；
「　本考案は、上記の問題点を解消すべく提案されたものであって、シャフトに装着されるヘッド部とグリップ部の装着とが正しく対照的に取付け得るように、シャフトのヘッド装着部とグリップ装着部の双方の各シャフト表面に、凹状または凸状等の目印線を、シャフトの軸線と平行な単一仮想線上にそれぞれ位置するように付設してなることを特徴とするもので、これによりシャフトに装着されるヘッド部とグリップ部とが所定の対照関係に正しく装着できるようにしたものである。」
　
（ｄ）明細書第６ページ第８行〜第８ページ第８行；
「　本考案においては上記クラブヘッド２のホーゼル21を差し込むシャフト細径部側のヘッド装着部11に目印線13が設けられ、また、これに対向してグリップ３が差込まれるシャフト太径部側のグリップ装着部12にも目印線14が設けられる。
　これらの目印線13，14は、シャフト１の軸線と平行な１つの仮想線（単一直線）上に位置するように設けられているもので、また目印線13，14はシャフト表面に対して、第２図および第３図の各ａ図に示すような凸状あるいは同ｂ図に示すような凹状に形成したものでもよく、好ましくはシャフト成型時に、成型によってシャフト表面に凸状または凹状等の目印線13，14を形成することが好ましい。
　また上記目印線13，14に対応して、シャフト１のヘッド装着部11が挿入・固着されるクラブヘッド２のホーゼル21には、第４図に示すように挿入孔の内面に目印線13の凸部（または凹部）がフィットするような凹溝22（または凸状リブ）を設けてもよく、また他方のグリップ３にも、第５図に示すように挿入孔の内面に目印線14の凸部（または凹部）が嵌入する凹溝31（または凸状リブ）を設けてもよい。特にグリップ３の挿入孔の内面に第５図示のような目印線14の凸部が嵌入する凹溝31を設けたものでは、グリップ挿入時に、その目印線14の凸部と凹溝31との嵌合によるガイドによってグリップ３が直線的に挿入できるようになる利点が得られる。
　さらに目印線13，14は、ヘッド装着側についてはクラブヘッド２のホーゼル21の挿入孔に差込まれる長さよりも短目とし、グリップ装着側についてはグリップ３の挿入孔の長さ以内として、ヘッド２およびグリップ３の装着（組立完了）後にはシャフト１の表面に目印線13，14が露出しないようにする。このようにする理由は、ゴルフクラブシャフトのＪＧＡ規定では、ゴルフクラブシャフトはどの方向にも同じような柔軟性を有することが条件とされており、従ってグリップ３とヘッド２との間のシャフト部分に目印線13，14が露出する場合は、シャフトの柔軟性が変わってルール違反となるおそれがあるからである。」
 　
（ｅ）第１図〜第５図から、引用例１の目印線13，14、及び凹溝（または凸状リブ）22，31が、それぞれシャフト１の周方向に１つだけ、シャフト１の両端末部の端末からシャフト１の軸方向に延長するように形成されていることが、見て取れる。
　
（ｆ）また、上記記載事項（ａ）、（ｃ）〜（ｄ）、第２図（ｂ）、及び第３図（ｂ）から、シャフトに設けた目印線13，14は「凸状または凹状」であり、また、ホーゼル21の挿入孔の内面とグリップ３の挿入孔の内面には、上記目印線13，14の凸部（または凹部）に対応した凹溝（または凸状リブ）を設けるのであるから、引用例１には、シャフトに設けた目印線13，14として「凹状」を、ホーゼル21の挿入孔の内面と、グリップ３の挿入孔の内面には、当該凹状の目印線13，14に対応した「凸状リブ」を設ける点が記載されているといえる。
　
　よって、引用例１には、
「シャフトのヘッド装着部11とグリップ装着部12の双方の各シャフト表面に、シャフト１の周方向に１つだけ、シャフト１の両端末部の端末からシャフト１の軸方向に延長するように形成されている凹状の目印線13，14を、シャフトの軸線と平行な単一仮想線上にそれぞれ位置するように付設し、上記ヘッド装着部11に設けた目印線13に対応して、シャフト１のヘッド装着部11が挿入・固着されるクラブヘッド２のホーゼル21の挿入孔の内面に上記目印線13の凹部がフィットするような凸状リブを設け、また、上記グリップ装着部12に設けた目印線14に対応して、他方のグリップ３にも挿入孔の内面に上記目印線14の凹部が嵌入する凸状リブを設け、さらに目印線13，14は、ヘッド装着側についてはクラブヘッド２のホーゼル21の挿入孔に差込まれる長さよりも短目とし、グリップ装着側についてはグリップ３の挿入孔の長さ以内とし、これによりシャフトに装着されるヘッド部とグリップ部とが所定の対照関係に正しく装着できるようにしたゴルフクラブ。」
の発明（以下、「引用発明」という。）が記載されている。
　
　
（３）刊行物２
　当審拒絶理由で引用され、本願の出願前に頒布された刊行物である特開平９−８４９０３号公報（以下、「周知例１」という。）には、以下の事項が記載されている。
（ｇ）「【０００７】図１に示すこの発明の実施例では、シャフト４の先端から基端へ向けて所定長さの切り込み５を複数形成し、ヘッド本体１のソール３の内側にシャフト４の先端の中空部４Ａ内へ挿入される筒状体６を突設し、この筒状体６の外周にシャフト４の切り込み５に挿入される複数の羽根部７を形成してある。筒状体６がシャフト４の中空部４Ａに、羽根部７がシャフト４の切り込み５に夫々挿入されてシャフト４の先端側の固定を図っている。筒状体６のソール３内側への突設手段としては、ねじ８を筒状体６にねじ込んで行っている。」
　
（ｈ）「【００１１】
【発明の効果】以上説明したように、この発明によれば、シャフト先端から基端へ向けて所定長さの切り込みを複数形成し、ヘッド本体のソール内側にシャフト先端の中空部内へ挿入される筒状体を突設し、この筒状体の外周にシャフトの切り込みに挿入される複数の羽根部を形成し、筒状体がシャフト中空部に、羽根部がシャフト切り込みに夫々挿入されてシャフト先端側の固定を図ったので、シャフトがホーゼルに対し回転するのが阻止される。従って、接着剤の剥離のおそれはなくなり、シャフトの抜けが防止できる。また、シャフトとホーゼルとの相対的な回転が阻止されることにより、シャフト装着部分の長さを短くすることもできる。」
　
（４）刊行物３
　当審拒絶理由で引用され、本願の出願前に頒布された刊行物である実願昭６２−１３５０５８号（実開昭６４−３９７６６号）のマイクロフィルム（以下、「周知例２」という。）には、以下の事項が記載されている。
（ｉ）明細書第２ページ第１５行〜第１８行；
「［産業上の利用分野］
　この考案は、ゴルフのクラブやゲートボールのスティック等における変形シャフトの取付構造に関する。」
　
（ｊ）明細書第７ページ第１１行〜第８ページ第２行；
「　第３図、第５図はそれぞれ前記嵌合軸６をボス７に、その軸心を中心として回転方向に角度変更可能に嵌合固定した実施の一例を示すものである。第３図に示す実施例にあっては、シャフト２の嵌合軸６にキー８を設け、ヘッド１に設けたボス７には嵌合軸６の嵌合時に、該嵌合軸６に設けたキー８に係合するキー溝９が円周方向に複数設けられており、嵌合軸６の嵌合時にキー８を求めるキー溝９に係合させることにより、ボス７に対し、嵌合軸６をその軸心を中心として回転方向に角度を任意に変更して固定できるようになっている。」（当審注；「第５図」は「第４図」の誤記と認める。）
　
（ｋ）第４図から、周知例２のキー溝９が、ボス７の端末から軸方向に延長するように形成された切り込みであり、キー８が突起であることが、見て取れる。
　
　
３　対比
　本願発明と引用発明とを対比する。
　
　ゴルフクラブにおいて、シャフトと、ホーゼルおよびグリップとが、それぞれ「固定」されていることは当業者に自明な事項であるから、引用発明における、「シャフト１のヘッド装着部11が挿入・固着されるクラブヘッド２のホーゼル21」を有し、「他方のグリップ３にも挿入孔の内面に上記目印線14の凹部が嵌入する凸状リブを設け」、「シャフトに装着されるヘッド部とグリップ部とが所定の対照関係に正しく装着できるようにしたゴルフクラブ」は、本願発明の「クラブシャフトのチップ側にホーゼル部を介してクラブヘッドを嵌合固定すると共に、バット側にグリップを嵌合固定して成るゴルフクラブ」に相当する。
　
　引用発明の、「シャフトのヘッド装着部11とグリップ装着部12」に付設された「凹状の目印線13、14」は、本願発明の「クラブシャフトのチップ側及びバット側端末部」に設定された「係合手段」に相当する。そして、引用発明の前記凹状の目印線13、14は「シャフト１の両端末部の端末からシャフト１の軸方向に延長するように形成され」ているのであるから、「端末部にのみ」形成されているといえる。
　よって、引用発明の「シャフトのヘッド装着部11とグリップ装着部12の双方の各シャフト表面に、シャフト１の周方向に１つだけ、シャフト１の両端末部の端末からシャフト１の軸方向に延長するように形成されている凹状の目印線13，14を、シャフトの軸線と平行な単一仮想線上にそれぞれ位置するように付設」する点は、本願発明の「前記クラブシャフトのチップ側及びバット側の端末部にのみ、それぞれクラブシャフトの周方向に互いに一定の一か所の位置にだけ係合手段を設定する」点に相当するとともに、本願発明の「前記クラブシャフトの係合手段がチップ側及びバット側の端末部にのみそれぞれ１つだけ形成したスリットであり」、「前記スリットはチップ側及びバット側の端末部の端末からクラブシャフトの軸方向に延長するように形成される」点と、「前記クラブシャフトの係合手段がチップ側及びバット側の端末部にのみそれぞれ１つだけ、チップ側及びバット側の端末部の端末からクラブシャフトの軸方向に延長するように形成される」点で一致する。
　
　引用発明の目印線13、14は「シャフト１の周方向に１つだけ」形成されて、「シャフトの軸線と平行な単一仮想線上にそれぞれ位置」し、「これによりシャフトに装着されるヘッド部とグリップ部とが所定の対照関係に正しく装着できるようにした」のであるから、引用発明の「上記ヘッド装着部11に設けた目印線13に対応して、シャフト１のヘッド装着部11が挿入・固着されるクラブヘッド２のホーゼル21の挿入孔の内面に上記目印線13の凹部がフィットするような凸状リブを設け、また、上記グリップ装着部12に設けた目印線14に対応して、他方のグリップ３にも挿入孔の内面に上記目印線14の凹部が嵌入する凸状リブを設け」る点と、本願発明の「クラブヘッドのホーゼル内底部及びグリップの内側エンド部にのみそれぞれ前記係合手段に対してクラブシャフトの周方向の一定位置関係で係合する係合部を形成し」、「前記ホーゼル部及びグリップの係合部がそれぞれ前記スリットに係合する１つだけの突起であ」る点とは、「前記クラブヘッドのホーゼル内面及びグリップ内面にそれぞれ前記係合手段に対してクラブシャフトの周方向の一定位置関係で係合する係合部を形成し、前記ホーゼル部及びグリップの係合部がそれぞれ前記クラブシャフトの係合手段に係合する１つだけの突起であ」る点で一致する。
　
　
４　一致点
　よって、本願発明と引用発明とは、以下の発明である点で一致する。
「クラブシャフトのチップ側にホーゼル部を介してクラブヘッドを嵌合固定すると共に、バット側にグリップを嵌合固定して成るゴルフクラブにおいて、前記クラブシャフトのチップ側及びバット側の端末部にのみ、それぞれクラブシャフトの周方向に互いに一定の一か所の位置にだけ係合手段を設定すると共に、前記クラブシャフトの係合手段がチップ側及びバット側の端末部にのみそれぞれ１つだけ、チップ側及びバット側の端末部の端末からクラブシャフトの軸方向に延長するように形成され、前記クラブヘッドのホーゼル内面及びグリップ内面にそれぞれ前記係合手段に対してクラブシャフトの周方向の一定位置関係で係合する係合部を形成し、前記ホーゼル部及びグリップの係合部がそれぞれ前記クラブシャフトの係合手段に係合する１つだけの突起であるゴルフクラブ。」
　
　
５　相違点
　また、本願発明と引用発明とは、以下の点で相違する。
 ［相違点１］
　クラブシャフトのチップ側及びバット側の端末部にのみ、両端末部の端末からクラブシャフトの軸方向に延長するように形成された係合手段について、本願発明では、当該係合手段は「スリット」であるのに対し、引用発明では「凹状」の目印線である点。
　
［相違点２］
　突起からなる係合部が、本願発明では、「ホーゼル内底部及びグリップの内側エンド部にのみ」形成されているのに対し、引用発明には、「ホーゼル21の挿入孔の内面」及び「グリップ３の挿入孔の内面」に凸状リブを形成することは記載されているものの、ホーゼル及びグリップの各挿入孔の内面の、終端部のみとまでは限定していない点。
　
　
６　判断
（１）相違点１について
　周知例１〜２（上記記載事項（ｇ）〜（ｋ）を参照。）に記載されているように、ゴルフクラブのシャフトを取り付けるに際し、突起と、端部から軸方向に延長するように形成されたスリットとの係合を利用する技術は当業者に周知の技術である。
　そして、引用発明では、ホーゼル21の内部及びグリップ３の内側に形成した凸状リブ（すなわち、本願発明の「突起」）と、シャフトの両端末部に形成した凹状の目印線13，14とを係合させているのであるから、ここに上記周知の技術を適用して、引用発明における凹状の目印線13，14を「スリット」に変えることは、当業者が容易になし得たことである。
　よって、引用発明に周知の技術を適用して、上記相違点１に係る本願発明の発明特定事項を得ることは、当業者が容易になし得たことである。
　
（２）相違点２について
　引用発明における凹状の目印線13，14は、「ヘッド装着側についてはクラブヘッド２のホーゼル21の挿入孔に差込まれる長さよりも短目とし、グリップ装着側についてはグリップ３の挿入孔の長さ以内とし」ている。
　ここに、上記「（１）相違点１について」で記載したように、引用発明における凸状リブと凹状の目印線との係合構造に、上記周知の、突起と端部から軸方向に延長するように形成されたスリットとの係合を利用する技術を適用すれば、スリットはクラブシャフトの「端部から」軸方向に延長するのであるから、当該スリットと係合する突起が、ホーゼル21及びグリップ３の各挿入孔の内面の終端部から、かつ、ホーゼル21及びグリップ３の各挿入孔の長さよりも短めに延長して形成されることは明らかである。
　
　さらに、引用例１（上記記載事項（ｄ）を参照）の、「さらに目印線13，14は、ヘッド装着側についてはクラブヘッド２のホーゼル21の挿入孔に差込まれる長さよりも短目とし、グリップ装着側についてはグリップ３の挿入孔の長さ以内として、ヘッド２およびグリップ３の装着（組立完了）後にはシャフト１の表面に目印線13，14が露出しないようにする。このようにする理由は、ゴルフクラブシャフトのＪＧＡ規定では、ゴルフクラブシャフトはどの方向にも同じような柔軟性を有することが条件とされており、従ってグリップ３とヘッド２との間のシャフト部分に目印線13，14が露出する場合は、シャフトの柔軟性が変わってルール違反となるおそれがあるからである。」との記載から、引用例１には、目印線13，14及び凸状リブを形成するに際し、目印線13，14をホーゼル21の挿入孔及びグリップ３の各挿入孔より短めに形成することによって、ゴルフクラブシャフトをどの方向にも同じような柔軟性を有するという規定を満たすように形成しようとする技術思想が記載されているといえる。
　してみれば、ホーゼル21及びグリップ３の各挿入孔の内面の終端部から、スリットと係合する突起をどのくらい短めに形成するかは、クラブシャフトの柔軟性を考慮しつつ、当業者が適宜選択し得る設計的事項である。
　
　したがって、引用発明に周知の技術を適用して上記相違点２に係る本願発明の発明特定事項を得ることは、当業者が容易になし得たことである。
　
　
（３）本願発明の作用効果について
　請求人は、平成２１年１２月１４日付け意見書において、
「１つだけの突起状の係合部をそれぞれホーゼル内底部にのみとグリップの内側エンド部にのみ設けることによって、強度が部分的に高くなる拘束部分（クラブシャフトを拘束する部分）を最小限にすることが可能になります。この拘束部分が長いと、クラブシャフトにおいて梁の機能を持ってしまうため、クラブシャフトの撓りや捩れに悪影響を与え、更に特定の部分に強度を有するような構造になるため、クラブシャフトに応力が集中して破損する恐れが生じますが、本願発明ではそれを抑制する効果を発揮することができます。
　即ち、本願発明は、１つだけの突起状の係合部をそれぞれホーゼル内底部にのみとグリップの内側エンド部にのみ設けることにより、クラブシャフト自体の機能に与える影響を極力抑えながら、組立て精度を向上させることができます。」及び
「刊行物１は、図から明らかなように、凸状の目印線をヘッド装着部とグリップ装着部の全域にわたって設けるものであります。」
と主張するが、引用例１においても、目印線13，14をホーゼル21の挿入孔及びグリップ３の各挿入孔より短めに形成することによって、ゴルフクラブシャフトをどの方向にも同じような柔軟性を有するように形成する、という技術思想が記載されているといえることは前述のとおりであるから、上記請求人の主張の作用効果は、当業者が予測できる範囲内のものにすぎない。
　よって、本願発明の奏する作用・効果についても、引用発明及び周知の技術から、当業者が予測できる範囲内のものである。
　
　
第４　むすび
　したがって、本願の請求項１に係る発明は、引用発明及び周知の技術から、当業者が容易に発明をすることができたものであるので、特許法第２９条第２項の規定により特許を受けることができない。
　よって、結論のとおり審決する。